(57)【特許請求の範囲】
【請求項１】
断熱箱体(30)に一対の回動手段(49)を介して開閉可能に配設され、合成樹脂成形された扉本体(31)に内部画成した充填空間(S)に発泡断熱材(32)が充填された扉であって、
前記扉本体(31)を断熱箱体(30)に回動可能に取付けるための前記各回動手段(49)の取付部が夫々凹状のリブ形状として該扉本体(31)に一体に成形され、
前記各取付部は、
扉本体(31)の前記断熱箱体(30)と対向する後側下部に形成され、前記回動手段(49)のヒンジ軸(56)が設けられた回動規制部(50)が収納される収容用リブ(42)と、
該扉本体(31)の側面下部に形成され、前記回動規制部(50)における扉本体(31)の対応する側面を指向して扉本体(31)の後面部(34)に当接する取付片(51)に直角に折曲成形された位置決め辺部(52)が収納当接される収納部分(35a)とからなり、
前記回動規制部(50)を収容用リブ(42)に収納させると共に、前記位置決め辺部(52)を収納部分(35a)に収納当接させて位置決めしたもとで、前記回動手段(49)を扉本体(31)に取付けるようにした
ことを特徴とする断熱箱体の扉構造。
【請求項２】
前記扉本体(31)の上部に、その幅方向の全長に亘って延在する前方リブ(44)および後方リブ(45)からなる把持部(37)が形成されると共に、該扉本体(31)の後面部(34)に、前記充填空間(S)内に向けて所定高さで突出して、気密部材(39)が着脱自在に嵌挿される取付溝(38a)を有した矩形枠状の取付用リブ(38)が形成されている請求項１記載の断熱箱体の扉構造。
【請求項３】
前記扉本体(31)の後面部(34)における収容用リブ(42)の上方で前記取付溝(38a)で囲まれる内側に、リブ形状のスロープ部(40)を外方に突出するよう一体に成形した請求項２記載の断熱箱体の扉構造。
【発明の詳細な説明】
【０００１】
【発明の属する技術分野】
この発明は断熱箱体の扉構造に関し、更に詳細には、合成樹脂成形される扉本体に、該扉本体を断熱箱体に回動可能に取付けるための回動手段の取付部を、リブ形状で一体に成形した断熱箱体の扉構造に関するものである。
【０００２】
【従来の技術】
冷蔵庫や温蔵庫あるいは製氷機の貯氷庫のように、内部に収納した被保存物を所定温度で長時間保存し得るよう構成された断熱箱体の前面側には、該箱体の収納空間に対する被保存物の出し入れのための開口部が開設されると共に、該開口部を開閉可能に閉成する扉が回動可能に配設されている。
【０００３】
従来の扉は、図１２に示すように、扉本体１０を構成する後側に開放する矩形箱状に形成された前面部１１の左右下端部(図では前面向かって左側のみ図示)に、断面コ字状に屈曲成形されたブラケット１２が、その一辺を前面部１１を構成する垂直方向に延在する周縁部内側に一部当接した状態で夫々配設されている。各ブラケット１２における前面部１１の垂直周縁部に接しない側の他辺には、所要長さに設定されたヒンジ軸１３が水平に設けられると共に、一方(図示左側)のブラケット１２と垂直周縁部との間には、ドアストッパ１４が配設される。このドアストッパ１４は、前面部１１の後側に延出する一端部が上方に向けて鉤状に成形されると共に、他端部がブラケット１２と垂直周縁部との間に溶接されたものである。
【０００４】
前記前面部１１の全周縁部内側に、断面矩形状の目貼り１５が配設され、この状態で目貼り１５で画成された部分に発泡断熱材１６を注入して発泡させることで、前記ドアストッパ１４やヒンジ軸１３からなる回動手段を備え、かつ断熱構造の前面部１１が製作される。この前面部１１の後面側には、該前面部１１の外形寸法より僅かに小さい外形寸法に設定された矩形枠状のパッキン(気密部材)１７が当接配置されると共に、該パッキン１７の更に後面側に後面部１８が当接配置される。パッキン１７の前面部１１に当接する部分および後面部１８の対応部分には、前面部１１の後面側周縁部に穿設された複数のネジ孔１１ａと対応して通孔１７ａ,１８ａが穿設され、後面部１８側から両通孔１７ａ,１８ａに挿通したネジ１９を前面部１１のネジ孔１１ａに螺挿することにより、前面部１１にパッキン１７および後面部１８が固定される。また前面部１１の上縁部には、扉本体１０を閉開操作するための把手部材２０が複数のネジ２１で固定してある。
【０００５】
そして、前述のように構成された扉本体１０は、前記一対のヒンジ軸１３,１３を、図１１に示す如く、断熱箱体２２における開口部の前面左右に配設された対応のヒンジ２３,２３(一方のみ図示)に軸支することで、断熱箱体２２に対して回動可能に取付けられる。また前記ドアストッパ１４は、扉本体１０を断熱箱体２２に対して開放した際に、断熱箱体２２に配設された係止部材(図示せず)に係合して該扉本体１０を所定の開放位置に保持するべく機能する。
【０００６】
【発明が解決しようとする課題】
前述した扉構造では、前記前面部１１については、矩形状板金の四つの周縁に帯状部を同一幅で夫々成形しておき、各帯状部をプレス成形により後側に直角に折曲することで後側に開放する箱状に成形される。しかるに、相互に隣接し合う各帯状部の端部間(前面部１１の角部)に隙間が生じ易くなり、扉本体１０の外観が損なわれる欠点が指摘される。また、前記ブラケット１２やドアストッパ１４は、前面部１１に対してスポット溶接により溶着されているため、スポット溶接の焼け痕が扉表面に露出する難点が指摘される。なお、板金からなる前面部１１の表面には、錆防止のためにクリア塗装を施しているが、この作業が煩雑でコストが嵩む原因となる。
【０００７】
前記パッキン１７は、後面部１８と前面部１１とで挟んだ状態でネジ止めされているため、清掃等のメンテナンスに際しては、全てのネジ２１を外したり締付ける作業に多大な時間と労力を要する問題がある。また扉本体１０を構成する部品点数が多く、そのために組立て作業にかかる工程数が増えるために製造コストが上昇する難点も指摘される。更には、ネジ止めされる部品相互間に隙間が発生し、この隙間に汚れた水、油、塵埃等が入り込んで不衛生となる。
【０００８】
前記ヒンジ軸１３の配設位置に対応する目貼り１５には、図１２に示すように該ヒンジ軸１３に干渉しないよう切欠が形成されるが、前記発泡断熱材１６が目貼り１５を越えて切欠に発泡洩れした場合には、ヒンジ軸１３が使用不能となって扉本体１０は不良品となってしまう。また前記ドアストッパ１４は、前述したように、ブラケット１２と前面部１１との間に溶着されているため、該ストッパ１４が折れたり変形した場合は、扉全体を交換しなければならず、交換に際してのコトスが嵩む問題を内在している。なお、前記後面部１８は合成樹脂成形されたものであるが、その強度は低く、亀裂・割れ等が発生し易かった。更に、前述したドアストッパ１４を扉本体１０から突出するよう設けた場合は、断熱箱体２２の内部にドアストッパ１４の収納スペースを設けると共に、扉本体１０を開放状態で保持するためにドアストッパ１４に係合する係止部材を断熱箱体２２に設ける必要があり、断熱箱体２２側の構造が複雑化する欠点がある。しかも、扉本体１０の内部全体に発泡断熱材１６が充填されているわけではないから、該扉本体１０の強度が低い難点も指摘される。
【０００９】
【発明の目的】
本発明は、前述した従来の技術に内在している前記欠点に鑑み、これを好適に解決するべく提案されたものであって、合成樹脂成形される扉本体に、回動手段の取付部を一体に成形することで、強度および断熱性を向上し得る断熱箱体の扉構造を提供することを目的とする。
【００１０】
【課題を解決するための手段】
前記課題を克服し、所期の目的を好適に達成するため本発明に係る断熱箱体の扉構造は、
断熱箱体に一対の回動手段を介して開閉可能に配設され、合成樹脂成形された扉本体に内部画成した充填空間に発泡断熱材が充填された扉であって、
前記扉本体を断熱箱体に回動可能に取付けるための前記各回動手段の取付部が夫々凹状のリブ形状として該扉本体に一体に成形され、
前記各取付部は、
扉本体の前記断熱箱体と対向する後側下部に形成され、前記回動手段のヒンジ軸が設けられた回動規制部が収納される収容用リブと、
該扉本体の側面下部に形成され、前記回動規制部における扉本体の対応する側面を指向して扉本体の後面部に当接する取付片に直角に折曲成形された位置決め辺部が収納当接される収納部分とからなり、
前記回動規制部を収容用リブに収納させると共に、前記位置決め辺部を収納部分に収納当接させて位置決めしたもとで、前記回動手段を扉本体に取付けるようにしたことを特徴とする。
【００１１】
【発明の実施の形態】
次に、本発明に係る断熱箱体の扉構造につき、好適な実施例を挙げて、添付図面を参照しながら以下説明する。実施例に係る扉構造は、自動製氷機の貯氷庫に配設される扉を例示する。
【００１２】
図１に示す如く、断熱箱体としての貯氷庫３０(図８,図１１等に一部のみ図示)に回動可能に配設される扉本体３１は、発泡断熱材３２を充填させる充填空間Ｓを内部画成するよう中空に合成樹脂成形されたものである。この扉本体３１は、図２〜図６に示すように、前側の前面部３３、後側の後面部３４、左右の側面部３５,３５、下側の底面部３６および上側の把持部３７とから略矩形箱状を呈するよう構成される。
【００１３】
前記前面部３３は、横長の長方形状に成形された平坦な平坦部３３ａの上端部に、該前面部３３における上下方向の長さよりも充分に短い上下寸法に設定された帯状の上帯部３３ｂが、平坦部３３ａから前側(外方)に僅かの高さで突出した状態で、その幅方向(図３の左右方向)の全長に亘って一体成形されている。また前面部３３の下端部には、上帯部３３ｂよりも短い上下寸法に設定された帯状の下帯部３３ｃが、平坦部３３ａから前側(外方)に僅かの高さで突出した状態で、その幅方向の全長に亘って一体成形されている。すなわち、上下に離間して位置する両帯部３３ｂ,３３ｃは、前面部３３の幅方向における強度を確保して変形を防止するべく機能する補強用の第４リブであって、扉本体３１の外観的な見栄えを向上する機能も備える。
【００１４】
前記後面部３４は、図４に示すように、横長の長方形状に成形された平坦な平坦部３４ａに、所定深さの取付溝３８ａが矩形枠状に形成されている。この取付溝３８ａは、平坦部３４ａから前記充填空間Ｓ内(内方)に向けて所定高さで突出するよう成形された矩形枠状の取付用リブ３８に形成された断面円弧状(Ｕ字状)の溝であって(図１参照)、該取付溝３８ａに気密部材としてのパッキン３９が着脱可能に嵌挿されるよう構成される。すなわち、取付用リブ３８が、パッキン３９の取付用の第２リブであって、取付用リブ３８は後面部３４の強度を確保して変形を防止する機能を兼ねる。なお、パッキン３９は、取付溝３８ａと同様に矩形枠状に形成されると共に、図１１に示すように、後面部３４と対向する側が所謂矢じり状に成形されており、この矢じり部３９ａを取付溝３８ａに嵌挿することで、当該パッキン３９が後面部３４に取付けられるようになっている。また取付用リブ３８には、取付溝内に突出する抜止め部３８ｂが所定間隔で複数形成され、該抜止め部３８ｂにパッキン３９の矢じり部３９ａが係合して、該パッキン３９が容易に外れないよう構成してある。なお、パッキン３９にはゴム磁石(図示せず)が埋設され、該磁石により扉本体３１を貯氷庫３０に対する閉成位置に保持するようになっている。また取付溝３８ａがＵ字状であるので、清掃が容易で衛生的に保ち得る。
【００１５】
前記後面部３４には、前記取付用リブ３８を成形することで、左右両側に縦リブ３４ｂ,３４ｂが成形されると共に、下側に横リブ３４ｃが成形され(図４参照)、これらのリブ３４ｂ,３４ｂ,３４ｃによって後面部３４の強度を向上すると共に、変形防止を図るよう構成される。また前記パッキン３９の内外の全周囲には、図１１に示す如く、その前後方向の略中間に耳部３９ｂが形成され、前記矢じり部３９ａを取付溝３８ａに嵌挿した際に、該耳部３９ｂが縦リブ３４ｂ,３４ｂ、横リブ３４ｃおよび平坦部３４ａの表面に当接することでパッキン３９の位置決めがなされるようになっている。
【００１６】
前記後面部３４の平坦部３４ａには、図１および図４に示すように、前記取付溝３８ａで囲まれる内側に、第５リブとしてのスロープ部４０が一体成形されている。このスロープ部４０は、取付溝３８ａにおける下辺部の若干上側から該平坦部３４ａに対して所定高さで鉛直に立上がる下立設部分４０ａと、該下立設部分４０ａの突出端から平坦部３４ａの上端側に向けて傾斜する傾斜部分４０ｂ、および下立設部分４０ａと傾斜部分４０ｂの幅方向両端部を連設するよう平坦部３４ａから鉛直に立上がる三角形状の左右の側部分４０ｃ,４０ｃとから構成される。そして、このスロープ部４０を、前記取付用リブ３８とは反対側(外方)に突出するよう成形したことで、後面部３４に発生し易い反りを防止し得るようになっている。すなわち、スロープ部４０が、後面部３４の補強用リブ(第５リブ)として機能する。なおスロープ部４０は、前記貯氷庫３０に取付けた扉本体３１を開閉する際に、貯氷庫３０側に回動可能に配設されて扉体体３１に従動して回動する内扉(図示せず)の受けとして機能するものである。ちなみに内扉は、貯氷庫３０の収納空間に貯留されている氷塊が、扉本体３１を開放した際に外部にこぼれるのを防止するためのものである。
【００１７】
前記後面部３４における横リブ３４ｃの下側には、図４および図６に示す如く、該横リブ３４ｃの表面から所定深さで凹む段部４１が幅方向の全長に亘って一体成形されると共に、該段部４１には、幅方向の両端より内側部分に、段部４１から前記充填空間Ｓ内(内方)に向けて所定高さで突出するよう矩形状の収容用リブ４２が一体成形されている。そして、この収容用リブ４２により、後方および下方に開放する陥凹部４２ａが形成され、後述する回動手段としてのヒンジ４９の一部が該陥凹部４２ａに収容されるよう構成される。すなわち、扉本体３１に凹状のリブ形状として一体に成形された収容用リブ４２が、ヒンジ(回動手段)４９の取付部として機能する第３リブである。また段部４１には、図４に示す如く、各陥凹部４２ａを挟む幅方両側に、ヒンジ４９を固定するために用いられるネジ孔４１ａ,４１ａが形成され、該段部４１がヒンジ４９の取付部分として機能する。更に、段部４１および収容用リブ４２は、後面部３４の強度を確保して変形を防止する機能を兼ねる。なお、各陥凹部４２ａの下放の開口は、後述するように扉本体３１の開閉動作に伴う支持金具５７の出入りを許容するためのものである(図１１参照)。
【００１８】
前記左右の側面部３５,３５の下側部分には、前記ヒンジ４９の収納部分３５ａが、図４に示す如く、その表面から所定深さで凹むよう夫々一体に成形されている。この収納部分３５ａは、図２に示すように、その前後幅が、側面部３５の対応する前後幅の１／２以上に設定されると共に、後面部側で開放している。また収納部分３５ａは、側面部３５の下端から前記スロープ部４０の傾斜部分４０ｂにおける略中間位置にまで延在する長さに設定される。なお、収納部分３５ａの側面部表面からの深さは、該収納部分３５ａに収納係合されるヒンジ４９の板厚と略同一になるよう設定されている。更に収納部分３５ａには、上下に離間する位置に、更に充填空間側に凹設された矩形凹部４３が夫々一体に成形され、各矩形凹部４３の略中央部にヒンジ４９を固定するために用いられるネジ孔４３ａが形成されている。そして、側面部３５に凹設した収納部分３５ａや矩形凹部４３が、側面部３５の補強用リブとして機能すると共に、扉本体３１に凹状のリブ形状として一体に成形された収納部分３５ａがヒンジ４９の取付部としても機能する。
【００１９】
なお、各側面部３５の下端には、その前端から収納部分３５ａまでの間に、前記下帯部３３ｃに連設される帯部３５ｂが、側面部表面から側方(外方)に僅かの高さで突出した状態で一体成形され、該帯部３５ｂにより側面部３５での強度を確保して変形を防止するよう構成される。
【００２０】
前記扉本体３１の上部を構成する把持部３７は、図１および図５に示す如く、前後に離間して幅方向の全長に亘って延在する前方リブ４４および後方リブ４５で構成され、両リブ４４,４５の間に断面Ｕ字状の溝部４６が形成される。そして、前方リブ４４が、扉本体３１を開閉操作するための把手として機能する第１リブである。なお、前方リブ４４は、作業者が手指を掛けるのに適正な高さに設定されると共に、その上部はＲ形状となっており、扉本体３１の開閉に際しての操作性および感触が良好となるよう構成される。また後方リブ４５は、前記溝部４６に溜った水、油、塵埃等が、貯氷庫側へ侵入することのない高さ、形状に成形されている。更には、溝部４６は左右両側で開放し、該溝部４６に溜った水、油、塵埃等を両側から落とすことができ、清掃を容易に行ない得るよう構成してある。
【００２１】
なお、前記前方リブ４４の前面は、前述した上帯部３３ｂで構成され、該上帯部３３ｂにより把手としての前方リブ４４の強度を向上するよう構成される。また把持部３７の左右両側面には、前記上帯部３３ｂに連設される帯部３７ａ,３７ａが、前記左右両側面部３５,３５の表面から側方(外方)に僅かの高さで突出した状態で一体成形され、該帯部３７ａ,３７ａにより把持部３７の強度を確保して変形を防止するよう構成される。
【００２２】
ここで、前述した扉本体３１は、ブロー成形により成形されたものであって、そのパーティングラインＰＬは、扉本体３１を成形するに際して成形に最も適した位置に設定されている。すなわち、実施例において扉本体３１の両側面部３５,３５に形成されるパーティングラインＰＬは、図２に示す如く、各側面部３５の前後幅における略中間位置を、前後端縁と平行に延在して前記収納部分３５ａの前端縁に達し、そのまま底面部３６まで延在している。また底面部３６においては、図６に示すように、収納部分３５ａの下端から連続するパーティングラインＰＬが、該底面部３６の前後幅方向の略中央部に延在している。なお、前記後面部３４に成形されて下方に開放する前記陥凹部４２ａ,４２ａの成形部分については、これを回避した位置に設定される。更に、前記把持部３７に関しては、側面部３５の略中間位置に延在するパーティングラインＰＬから二又に分かれて、一方が前方リブ４４の略頂上部を幅方向に延在し、他方が後方リブ４５の略頂上部を幅方向に延在するよう設定される(図５参照)。
【００２３】
なお、パーティングラインＰＬが形成される部位における扉本体３１の断面形状は、表面側はフラットで、かつ充填空間側は、該ラインＰＬを挟む両側の樹脂が盛上がって肉厚となり、その部分での強度は高くなっている。従って、前述したような位置にパーティングラインＰＬを設定することで、各部の強度が向上する。
【００２４】
またブロー成形に際して空気を吹込むためのブロー口４７は、成形性が良く、かつ外観的に見栄えの劣ることのない複数個所に設けている。すなわち実施例では、図２に示す如く、後面部３４の段部４１と底面部３６との連結角部において、幅方向に離間する４個所に該ブロー口４７が穿設され、当該扉本体３１を貯氷庫３０に配設した際に前側から視認し得ないよう設定される。なお、このブロー口４７は、充填空間Ｓで発泡断熱材３２を発泡させる際の空気抜き穴として機能するが、扉本体３１の強度を低下させることのない直径に設定されている。
【００２５】
更に、前記後面部３４には、発泡断熱材３２の注入口４８が、発泡が全体に行き渡り、かつ外観的に見栄えの劣ることのない複数個所に設けられている。すなわち実施例では、図４に示す如く、前記取付溝３８ａに近接して該溝３８ａに取付けられるパッキン３９の耳部３９ａで覆われる位置、および前記スロープ部４０の傾斜部４０ｂにおける下端側の位置等に設けられる。なお、注入口４８に関しても、扉本体３１の強度を低下させることのない直径に設定される。
【００２６】
前記後面部３４の収容用リブ４２,４２や段部４１を介して取付けられる回動手段としてのヒンジ４９,４９は、左右対称であるので、扉本体３１の前面向かって右側に取付けられるヒンジ４９について説明する。すなわちヒンジ４９は、図７〜図９に示す如く、前記側面部３５における収納部分３５ａの深さと略同一の厚みを有する板材を図示形状に折曲することで形成されたものであって、平面視においてコ字状に折曲形成されたドアストッパ(回動規制部材)５０の左右の開放端部には、相互に離間する方向に向けて直角に折曲された取付片５１,５１が所定長さで延出している。このドアストッパ５０を構成する左右両側板５０ａ,５０ａの離間寸法は、前記陥凹部４２ａの内部幅寸法よりも小さく設定されると共に、該ドアストッパ５０の前後寸法は、陥凹部４２ａの深さ寸法と略同一に設定される。すなわち、図８に示すように、両取付片５１,５１を前記段部４１に当接した状態で、ドアストッパ５０が陥凹部４２ａに収容されると共に、該ストッパ５０における両側板５０ａ,５０ａの間に位置する規制部５０ｂが陥凹部４２ａの底面に当接するようになっている。また両取付片５１,５１には、段部４１に形成した前記ネジ孔４１ａ,４１ａと対応する位置に通孔５１ａ,５１ａが穿設されている。
【００２７】
前記ドアストッパ５０から右側の側面部３５を指向する一方の取付片５１には、前面部側に直角に折曲された位置決め辺部５２が形成され、該位置決め辺部５２の内面を前記側面部３５の収納部分３５ａに収納当接させると共に、その上端を収納部分３５ａの上端に当接させることで(図７および図８参照)、当該ヒンジ４９の扉本体３１に対する上下および左右方向の位置決めがなされる。また位置決め辺部５２には、収納部分３５ａにおける各矩形凹部４３に穿設した前記ネジ孔４３ａと対応する位置に通孔５２ａが夫々穿設されている。すなわち、ヒンジ４９を前述したように扉本体３１に対して位置決めした状態で、前記取付片側から各通孔５１ａに挿通したネジ５３を対応するネジ孔４１ａに螺挿すると共に、位置決め辺部側から各通孔５２ａに挿通したネジ５４を対応するネジ孔４３ａに螺挿することで、当該ヒンジ４９が扉本体３１に位置決め固定される。なお、前記位置決め辺部５２には、取付片５１を挟んで反対側(後面部側)に延出するＬ字形状の保持部５５が形成され、該保持部５５を、前記後面部３４の縦リブ３４ｂとパッキン３９の耳部３９ｂとの間に臨ませることで、該パッキン３９の抜け止めを行なうと共に、ヒンジ自体の強度向上を図るよう構成される。また保持部５５をパッキン３９で覆うことで、該保持部５５の錆防止を図り得るようになっている。
【００２８】
前記ヒンジ３９を構成するドアストッパ５０における左側の側板５０ａには、図８に示す如く、右側の側板５０ａに向けて水平に突出するヒンジ軸５６が突設され、該ヒンジ軸５６を介して扉本体３１が貯氷庫３０に対して回動可能に取付けられるよう構成される。なお、ヒンジ軸５３の開放端と右側の側板５０ａとの間には、後述する支持金具５７の挿通を許容する所要の隙間が画成してある。
【００２９】
前記貯氷庫３０の前面下部には、扉本体３１を回動可能に取付けるための一対の支持金具５７,５７が、幅方向に離間して配設されている。なお、両支持金具５７,５７は、左右対称であるので、前面向かって右側に配設される支持金具５７について説明する。
【００３０】
前記支持金具５７は、図８および図９に示す如く、貯氷庫３０の前面に当接される矩形状の取付部５８と、該取付部５８の右端から前方に向けて直角に折曲形成された板状突片５９とから構成され、取付部５８が複数のボルト６０によって貯氷庫３０に固定されるようになっている。板状突片５９の前面上部側には、図１１に示す如く、前方に向けて略三角形状に延出する支持部５９ａが形成され、該支持部５９ａに軸孔５９ｂが穿設されている。そして、前記扉本体３１に配設した各ヒンジ４９のヒンジ軸５６を、対応する支持金具５７の軸孔５９ｂに挿通することで(図８参照)、当該扉本体３１は貯氷庫３０に対して回動可能に取付けられる。
【００３１】
前記支持部５９ｂの下面は前方から後方に向かうにつれて下方傾斜するよう定され、前記扉本体３１を開放するべくヒンジ軸５６を中心に回動した際に、図１１(ｂ)に示す如く、その傾斜面５９ｃに前記ドアストッパ５０の規制部５０ｂが当接して、該扉本体３１を所定角度の開放位置に保持するよう構成される。なお、扉本体３１が図１１(ａ)に示す閉成位置に保持されている状態で、ドアストッパ５０の規制部５０ｂと支持部５９ｂとの間に所要の隙間が画成されるよう該支持部５９ｂの形状が設定され、これにより扉本体３１の開閉中には規制部５０ｂが傾斜面５９ｃに接触することなく該扉本体３１の開閉をスムーズに行ない得るよう構成される。
【００３２】
また前記扉本体３１に配設されたヒンジ軸５６の位置は、扉本体３１の前後厚み方向の中央または中央より後面部側に位置するよう設定されると共に、該扉本体３１の重量バランスについても、前後厚み方向の中央より後面部側が重くなるよう設定されている。これにより、扉本体３１を貯氷庫３０に対して前記後面部３４に配設したパッキン３９を貯氷庫前面に当接した閉成位置に臨ませた際には(図１１(ａ)参照)、当該扉本体３１自体が貯氷庫側へ自重で倒れ込む状態となり、閉成位置を保持するよう構成してある。なお、パッキン３９に埋設したゴム磁石が貯氷庫３０の前面に磁力吸着されることによっても、扉本体３１は閉成位置に確実に保持される。
【００３３】
前記扉本体３１の前面部３３における上下の帯部３３ｂ,３３ｃの間(平坦部３３ａ)には、図１０に一部を図示する化粧パネル６１が着脱可能に配設されるようになっている。この化粧パネル６１は、前面部３３における平坦部３３ａと略同一寸法の前パネル部６１ａと、該前パネル部６１ａの左右側端において後側に向けて湾曲形成された側パネル部６１ｂ,６１ｂおよび各側パネル部６１ｂの後開放端から内側(他方の側パネル部側)に向けて略直角に折曲形成された係止部６１ｃとから構成される。そしてこの化粧パネル６１は、両側パネル部６１ｂ,６１ｂを、扉本体３１の両側面部３５,３５を覆うように前側から嵌合すると共に、各係止部６１ｃ,６１ｃを後面部３４に係合させることで取付けられる。この場合に、側パネル部６１ｂにより前記収納部分３５ａに収納されたヒンジ４９の位置決め辺部５２を覆うことができ、見栄えを良くし得る。また係止部６１ａの端縁部を、前記パッキン３９の耳部３９ｂと後面部３４との間に臨ませることで、パッキン３９の脱落防止や係止部６１ａの端面保護および防錆効果を図ることができる。
【００３４】
【実施例の作用】
次に、実施例に係る断熱箱体の扉構造の作用につき説明する。前記扉本体３１は、ブロー成形により、前面部３３、後面部３４、両側面部３５,３５、底面部３６および把持部３７が一体に合成樹脂成形される。すなわち、各部３３,３４,３５,３５,３６,３７には継目はなく、隙間に汚れた水、油、塵埃等が入り込んで不衛生となることはない。また扉本体３１の全ての角部をＲ形状とすることができるので、清掃等のメンテナンスが容易になると共に、外観的な見栄えが良好となる。更に、ブロー成形に際して扉本体３１に形成されるパーティングラインＰＬは、前述したように、両側面部３５,３５、底面部３６および把持部３７における前後のリブ４４,４５に延在するよう設定されているから、当該部位の強度を向上することができ、扉本体自体の強度も向上する。また扉本体３１の全体が合成樹脂であるから、錆防止のためにクリア塗装等を施す必要はなく、製作工数を低減し得る。
【００３５】
そして、前記扉本体３１に内部画成される充填空間Ｓに、各注入口４８を介して発泡断熱材３２を充填発泡させることで、断熱構造を有すると共に把手として機能する前方リブ４４等の必要部品が一体に成形された扉本体３１が製作される。この発泡断熱材３２の発泡に際しては、扉本体３１が中空構造であるから発泡洩れが発生することはない。また、扉本体３１に一体に成形される前リブ４４、後方リブ４５、取付用リブ３８、収容用リブ４２等により、扉本体３１の必要強度が確保され、反りや変形等が発生するのは防止される。更に、扉本体３１に必要な把手として機能する前リブ４４を一体に成形してあるから、相互にネジ止めする等の連結が必要な部品点数は少なくなり、組立て工数は極めて低減する。
【００３６】
前述したように製作された扉本体３１には、前記貯氷庫３０に回動可能に取付けるためのヒンジ４９,４９を、図７〜図９に示すように取付ける。すなわち、ヒンジ４９のドアストッパ５０を陥凹部４２ａに収容するように、両取付片５１,５１を後面部３４の段部４１に当接すると共に、前記位置決め辺部５２を側面部３５の収納部分３５ａに収納当接する。これにより、ヒンジ４９は扉本体３１に対して定位置に位置決めされ、この状態で前述したようにネジ５３,５４を対応するネジ孔４１ａ,４３ａに螺挿することで、該ヒンジ４９が扉本体３１に位置決め固定される。この場合に、前記後面部３４や側面部３５,３５に、ヒンジ４９の取付部として機能する段部４１、収容用リブ４２および収納部分３５ａ等が予め一体に成形されているので、ヒンジ４９の取付け強度が向上すると共に正確な位置に位置決めすることができ、更には取付けミス等の発生も防止し得る。また、ヒンジ４９は扉本体３１に対してネジ５３,５４を介して着脱可能に固定されるものであるから、従来のようにスポット溶接による焼け痕が扉表面に発生することはなく、外観を損なわない。
【００３７】
更に、扉本体３１の前記前面部３３に対して、前記化粧パネル６１を前側から取付ける。この場合に、該化粧パネル６１の各側パネル部６１ｂによりヒンジ４９の位置決め辺部５２が覆われ、かつヒンジ４９のドアストッパ５０や取付片５１は後面部側に位置しているから、前側からヒンジ４９が見えて見栄えが悪くなることはない。また、前記化粧パネル６１は工具等を用いることなく、扉本体３１に簡単に取付けられる。しかも、化粧パネル６１の上下の端縁部は、前記上下の帯部３３ｂ,３３ｃで保護されるから、作業者が端縁に触れることはない。
【００３８】
次に、前記扉本体３１の後面部３４に成形した取付溝３８ａに、前記パッキン３９を矢じり部３９ａを嵌挿することで取付ける(図１１参照)。このとき、パッキン３９の耳部３９ｂが、前記ヒンジ４９における保持部５５や、化粧パネル６１の係止部６１ａ等を覆うので、端面保護と防錆効果を図り得る。また保持部５５や係止部６１ａにより、パッキン３９の取付溝３８ａからの脱落を防止することもできる。
【００３９】
前記扉本体３１を貯氷庫３０に取付けるに際しては、各ヒンジ４９のヒンジ軸５６を軸孔５９ｂに挿通した支持金具５７の取付部５８を、貯氷庫３０の対応個所にボルト６０を介して固定する。これにより、扉本体３１は貯氷庫３０に対して回動可能に取付けられる。そして扉本体３１を閉成した状態においては、前記後面部３４に取付けたパッキン３９が貯氷庫３０の前面に当接することで、該貯氷庫３０の収納空間と外部とを気密的に遮断し得る。また、前述したようなヒンジ軸５６の配設位置および扉本体自体の重量バランスにより、扉本体３１を閉成位置に臨ませた際には(図１１(ａ)参照)、当該扉本体３１自体が貯氷庫側へ自重で倒れ込む状態となり、閉成位置を保持する。なお、閉成位置において貯氷庫３０側に臨む後面部３４は合成樹脂であり、しかもネジ等が存在していないから、錆の発生はなく、衛生的である。また前記ヒンジ４９は収容用リブ４２に収納されているから、扉本体３１の後面部３４に付着した結露が流れても濡れるのを防止することができ、錆の発生を抑制し得る。
【００４０】
前記扉本体３１を、ヒンジ軸５６を中心に回動して開放すると、図１１(ｂ)に示す如く、前記ドアストッパ５０の規制部５０ｂが、支持金具５７の傾斜面５９ｃに当接し、該扉本体３１は所定角度の開放位置に保持される。すなわち、扉本体３１を開放位置に保持するための機構は、扉本体３１に配設されたヒンジ４９と貯氷庫３０の前面に配設された支持金具５７とから構成され、貯氷庫３０の内部に係止部材等を配設したりヒンジ４９の収納スペースを設ける必要はなく、構成が簡単で製造コストを低廉に抑えることができる。しかも、扉本体３１を貯氷庫３０に回動可能に取付けるためのヒンジ４９を、扉本体３１の外部に着脱可能に取付けるよう構成してあるから、ヒンジ軸５６等の破損に伴う交換に際しては、ヒンジ４９のみを交換することで対応し得、交換に伴うコストを低減することができる。また、前記パッキン３９は取付溝３８ａに対して着脱可能に嵌挿されるよう構成してあるから、該パッキン３９を取外して簡単に清掃することができ、常に衛生的に保持し得る。
【００４１】
なお、扉本体３１を開放した際に、前記内扉の受けとして機能するスロープ部４０がリブ形状として一体に成形されているから、該扉本体３１の強度を更に向上することができる。またこのスロープ部４０は前記収容用リブ４２の上方に成形されているから、該スロープ部４０に付着した結露は庫内に流れ、収容用リブ４２内に収納されているヒンジ４９が濡れるのを抑制し得る。
【００４２】
【発明の効果】
以上説明した如く、本発明に係る断熱箱体の扉構造では、合成樹脂成形された扉本体に、一対の回動手段の取付部を凹状のリブ形状として一体に成形したので、部品点数を低減して組立て工数を少なくすることができる。また扉本体の内部全体に発泡断熱材を充填発泡させるので、構造的な強度および断熱性を向上することができる。しかも、回動手段の取付部をリブ形状としたから、扉本体自体の強度を向上することができ、反りや変形の発生を好適に防止し得る利点を有する。なお、扉本体を断熱箱体に回動可能に取付けるための回動手段は、扉本体に予め成形された前記取付部を介して取付けることができるから、該回動手段のみの部品交換が可能となる。
更に、回動手段の取付部を、扉本体の後側下部に設けられた収容用リブと、扉本体の側面下部に形成された収納部分とから構成したので、回動手段を定位置に位置決めすることが可能となり、該回動手段の扉本体への取付けが容易となる。更にまた、収容用リブおよび収納部分は、夫々凹状のリブ形状として扉本体に一体に成形されているので、回動手段の取付け強度が向上すると共に正確な位置に位置決めすることができ、更には取付けミス等の発生も防止し得る。
【００４３】
また、扉本体の全体を合成樹脂製としたので、錆防止のためにクリア塗装等を施す必要はなく、製作工数を低減し得る利点がある。更に、前記取付部の収容用リブを扉本体の後側下部に成形したので、該収容用リブに収納状態で配設される回動手段が、扉本体の後面部を流れる結露により濡れるのは好適に防止される。
扉本体の上部に前方リブおよび後方リブからなる把持部を形成したので、該前方リブを扉本体を開閉操作する把手として機能させることが可能となる。また、矩形枠状の取付用リブを扉本体の後面部に形成したので、該後面部の強度を確保して変形を防止し得る。更に、気密部材は取付用リブの取付溝に対して着脱自在に嵌挿されて扉本体に取付けられるので、該気密部材を扉本体から容易に取外して清掃することができ、常に衛生的に保ち得る。更にまた、前記収容用リブの上方にスロープ部を成形することで、扉本体の強度が向上すると共に、該スロープ部に付着した結露は庫内側に流れるから、前記回動手段が結露により濡れるのは更に抑制される。
【図面の簡単な説明】
【図１】 本発明の好適な実施例に係る断熱箱体の扉構造における扉本体の縦断側面図である。
【図２】 実施例に係る扉本体の側面図である。
【図３】 実施例に係る扉本体の正面図である。
【図４】 実施例に係る扉本体の背面図である。
【図５】 実施例に係る扉本体の平面図である。
【図６】 実施例に係る扉本体の底面図である。
【図７】 実施例に係る扉本体にヒンジを配設した状態で示す側面図である。
【図８】 実施例に係る扉本体を貯氷庫に配設した状態で示す要部横断平面図である。
【図９】 実施例に係る扉本体を貯氷庫に配設した状態でのヒンジと支持金具との関係を示す正面図である。
【図１０】 実施例に係る扉本体と化粧パネルを分解状態で示す要部横断平面図である。
【図１１】 実施例に係る扉本体の開閉状態を示す要部説明図である。
【図１２】 従来の技術に係る断熱箱体の扉構造における扉本体を分解状態で示す斜視図である。
【図１３】 従来の技術に係る断熱箱体の扉構造における扉本体を断熱箱体に取付けた状態で示す側面図である。
【符号の説明】
３０ 貯氷庫(断熱箱体), ３１ 扉本体, ３２発泡断熱材, ３４ 後面部
３５ａ 収納部分(取付部), ３８ 取付用リブ, ３８ａ 取付溝
３９ パッキン(気密部材), ４０ スロープ部, ４２ 収容用リブ(取付部)
４４ 前方リブ, ４５ 後方リブ, ４９ ヒンジ(回動手段)
５０ ドアストッパ(回動規制部), ５１ 取付片, ５２ 位置決め辺部
５６ ヒンジ軸, Ｓ 充填空間
【図１】
0003689257.tif 000002
【図２】
0003689257.tif 000003
【図３】
0003689257.tif 000004
【図４】
0003689257.tif 000005
【図５】
0003689257.tif 000006
【図６】
0003689257.tif 000007
【図７】
0003689257.tif 000008
【図８】
0003689257.tif 000009
【図９】
0003689257.tif 000010
【図１０】
0003689257.tif 000011
【図１１】
0003689257.tif 000012
【図１２】
0003689257.tif 000013
【図１３】
0003689257.tif 000014